(57)【要約】【課題】  メンテナンス作業時でも警報信号の通信経路を遮断せず、監視対象設備の真の異常による警報とメンテナンス作業に起因する異常による誤警報の区別を行い誤警報による事故を防止できるようにした誤警報事故防止機能を備えた異常警報監視システムを得る。【解決手段】  監視対象設備１の異常を監視し、監視対象設備１に異常が発生したとき警報信号を発信する異常警報装置２と、異常警報装置２から発信された警報信号を受信し、監視装置３へ送信する通信サーバー４とからなる異常警報監視システムに、監視対象設備１をメンテナンスする際に入力するメンテナンス情報入力手段５と、入力されたメンテナンス情報を発信するメンテナンス情報発信手段６とを有するメンテナンス警報装置７を備え、このメンテナンス警報装置７で発信されたメンテナンス情報を監視装置３へ送信し、監視対象設備１の異常による警報とメンテナンス作業に起因する異常による誤警報の区別を行うようにした。【選択図】  図１
2007265128.tif 000002
【特許請求の範囲】
【請求項１】
監視対象設備の異常を監視し、前記監視対象設備に異常が発生したとき警報信号を発信する異常警報装置と、この異常警報装置から発信された警報信号を受信し、監視装置へ送信する通信サーバーとからなる異常警報監視システムに、前記監視対象設備をメンテナンスする際に入力するメンテナンス情報入力手段と、入力されたメンテナンス情報を発信するメンテナンス情報発信手段とを有するメンテナンス警報装置を備え、このメンテナンス警報装置で発信されたメンテナンス情報を前記監視装置へ送信し、前記監視対象設備の異常による警報とメンテナンス作業に起因する異常による誤警報の区別を行うようにしたことを特徴とする誤警報事故防止機能を備えた異常警報監視システム。
【請求項２】
前記メンテナンス情報入力手段へ入力されるメンテナンス情報は、メンテナンス開始情報とメンテナンス終了情報であることを特徴とする請求項１に記載の誤警報事故防止機能を備えた異常警報監視システム。
【請求項３】
前記メンテナンス開始情報には、作業予定時間を含むことを特徴とする請求項２に記載の誤警報事故防止機能を備えた異常警報監視システム。
【請求項４】
前記通信サーバーには、メンテナンス開始情報で入力された作業予定時間が経過した時点で、メンテナンス終了情報の入力が無いとき、メンテナンス終了情報を前記監視装置へ送信するように指示する制御手段を備えていることを特徴とする請求項３に記載の誤警報事故防止機能を備えた異常警報監視システム。
【請求項５】
前記メンテナンス警報装置は、メンテナンス作業者に携帯させる所定の識別項目を書き込んだ無線識別体と、前記監視対象設備近傍に設置され、作業エリア全体をカバーできる受信アンテナを有し、前記無線識別体の電波を受信する受信ユニットと、前記作業エリアで前記無線識別体を検出したとき、メンテナンス作業者に作業予定時間の入力を促し、作業予定時間の入力があったとき、メンテナンス開始情報の入力が完了したものとし、前記無線識別体が作業エリアから離れたとき、作業予定時間内であってもメンテナンス終了情報の入力があったものとし、その後、前記入力された作業予定時間内に前記作業エリアで前記無線識別体を再び検出したとき、メンテナンス作業者に新たな作業予定時間の入力を促すことなく、前記入力されている作業予定時間を内容とするメンテナンス開始情報の入力があったものとする制御手段を備えていることを特徴とする請求項３又は４に記載の誤警報事故防止機能を備えた異常警報監視システム。
【発明の詳細な説明】
【技術分野】
【０００１】
本発明は、監視対象設備の真の異常による警報とメンテナンス作業に起因する異常による誤警報の区別を行う誤警報事故防止機能を備えた異常警報監視システムに関する。
【背景技術】
【０００２】
例えば、熱供給装置、発電装置、機械加工装置等の監視対象設備の異常を監視し、監視対象設備に異常が発生したとき警報を発し、適切な処置を促す異常警報監視システムとして、監視対象設備の異常を監視し、前記監視対象設備に異常が発生したとき警報信号を発信する異常警報装置と、この異常警報装置から発信された警報信号を受信し、遠隔にある監視装置へ送信する通信サーバーとからなる異常警報監視システムが知られている（例えば、特許文献１参照。）。
【０００３】
監視対象設備のメンテナンス作業の際、メンテナンス作業の内容によっては、監視対象設備に異常が発生したとして異常警報装置が誤警報信号を発信してしまう場合があるが、遠隔にある監視装置で監視する側がこの誤警報信号を真の異常による警報信号と誤らないように、警報信号が、監視対象設備の真の異常による警報信号なのか、或いはメンテナンス作業に起因する異常による誤警報信号なのかを区別できるようにする必要がある。
【０００４】
前記真の警報信号と誤警報信号とを区別する対策として、従来、監視装置で監視する監視員に、事前にメンテナンス作業計画を提出したり、或いは、一時的に警報信号が送信できないように通信経路を遮断するといった処置が取られている。
【特許文献１】特開２００４−２０６５９８号公報
【発明の開示】
【発明が解決しようとする課題】
【０００５】
しかしながら、監視装置で監視する監視員に、事前にメンテナンス作業計画を提出するようにした対策では、メンテナンス作業計画を提出することを怠ったり、メンテナンス作業計画の提出があっても監視員が確認を怠ると、メンテナンス作業に起因する異常による誤警報信号なのにも拘わらず真の警報信号と誤って判断され、メンテナンス作業員が監視対象設備の現場にいるのにも拘わらず保全担当者に連絡され、本来必要ない確認作業を行わせてしまうこととなる。これが度重なれば、異常警報監視システムの信頼性を失墜させてしまいかねない。
【０００６】
また、一時的に警報信号が送信できないように通信経路を遮断するといった処置を採る対策では、メンテナンス作業終了後、万が一通信経路の復旧を忘れると、監視対象設備に真の異常が発生しても、この真の警報信号が送信できなくなり、大きな事故を招いてしまう可能性がある。
【０００７】
本発明の目的は、メンテナンス作業時でも警報信号の通信経路を遮断せず、監視対象設備の真の異常による警報とメンテナンス作業に起因する異常による誤警報の区別を行い誤警報による事故を防止できるようにした誤警報事故防止機能を備えた異常警報監視システムを提供することにある。
【課題を解決するための手段】
【０００８】
上記の目的を達成するために請求項１に記載の誤警報事故防止機能を備えた異常警報監視システムは、監視対象設備の異常を監視し、前記監視対象設備に異常が発生したとき警報信号を発信する異常警報装置と、この異常警報装置から発信された警報信号を受信し、監視装置へ送信する通信サーバーとからなる異常警報監視システムに、前記監視対象設備をメンテナンスする際に入力するメンテナンス情報入力手段と、入力されたメンテナンス情報を発信するメンテナンス情報発信手段とを有するメンテナンス警報装置を備え、このメンテナンス警報装置で発信されたメンテナンス情報を前記監視装置へ送信し、前記監視対象設備の異常による警報とメンテナンス作業に起因する異常による誤警報の区別を行うようにしたことを特徴とする。
【０００９】
請求項２に記載の誤警報事故防止機能を備えた異常警報監視システムは、請求項１に記載の、前記メンテナンス情報入力手段へ入力されるメンテナンス情報は、メンテナンス開始情報とメンテナンス終了情報であることを特徴とする。
【００１０】
請求項３に記載の誤警報事故防止機能を備えた異常警報監視システムは、請求項２に記載の、前記メンテナンス開始情報には、作業予定時間を含むことを特徴とする。
【００１１】
請求項４に記載の誤警報事故防止機能を備えた異常警報監視システムは、請求項３に記載の、前記通信サーバーには、メンテナンス開始情報で入力された作業予定時間が経過した時点で、メンテナンス終了情報の入力が無いとき、メンテナンス終了情報を前記監視装置へ送信するように指示する制御手段を備えていることを特徴とする。
【００１２】
請求項５に記載の誤警報事故防止機能を備えた異常警報監視システムは、請求項３又は４に記載の、前記メンテナンス警報装置は、メンテナンス作業者に携帯させる所定の識別項目を書き込んだ無線識別体と、前記監視対象設備近傍に設置され、作業エリア全体をカバーできる受信アンテナを有し、前記無線識別体の電波を受信する受信ユニットと、前記作業エリアで前記無線識別体を検出したとき、メンテナンス作業者に作業予定時間の入力を促し、作業予定時間の入力があったとき、メンテナンス開始情報の入力が完了したものとし、前記無線識別体が作業エリアから離れたとき、作業予定時間内であってもメンテナンス終了情報の入力があったものとし、その後、前記入力された作業予定時間内に前記作業エリアで前記無線識別体を再び検出したとき、メンテナンス作業者に新たな作業予定時間の入力を促すことなく、前記入力されている作業予定時間を内容とするメンテナンス開始情報の入力があったものとする制御手段を備えていることを特徴とする。
【発明の効果】
【００１３】
請求項１に記載の誤警報事故防止機能を備えた異常警報監視システムによれば、監視対象設備の異常を監視し、前記監視対象設備に異常が発生したとき警報信号を発信する異常警報装置と、この異常警報装置から発信された警報信号を受信し、監視装置へ送信する通信サーバーとからなる異常警報監視システムに、前記監視対象設備をメンテナンスする際に入力するメンテナンス情報入力手段と、入力されたメンテナンス情報を発信するメンテナンス情報発信手段とを有するメンテナンス警報装置を備え、このメンテナンス警報装置で発信されたメンテナンス情報を前記監視装置へ送信し、前記監視対象設備の異常による警報とメンテナンス作業に起因する異常による誤警報の区別を行うようにしたので、監視対象設備をメンテナンスする際にメンテナンス警報装置から監視装置へ送信されたメンテナンス情報により、監視側は、メンテナンス作業に起因する監視対象設備の異常による誤警報の可能性と、メンテナンス作業員が監視対象設備の現場にいることを認知することができ、メンテナンス作業に起因する異常による誤警報信号を真の警報信号と誤って判断することによる不要な混乱や事故を防止することができる。また、重要な警報信号を受信したとき、現場にメンテナンス作業員がいるので直接確認をとることができ、しかも保全担当者を介さなくても済むので、素早い対応ができる。
【００１４】
請求項２に記載の誤警報事故防止機能を備えた異常警報監視システムによれば、請求項１に記載の、前記メンテナンス情報入力手段へ入力されるメンテナンス情報は、メンテナンス開始情報とメンテナンス終了情報であるので、監視側は、メンテナンス開始情報の受信により監視対象設備のメンテナンス作業が開始したことを確認し、メンテナンス終了情報の受信によりメンテナンス作業が終了したことを確認することにより、メンテナンス開始情報とメンテナンス終了情報の間に、監視対象設備に異常が発生したことを知らせる警報信号を受信しても、この警報信号がメンテナンス作業に起因する異常による誤警報信号であることを、容易に且つ確実に判断することができる。
【００１５】
請求項３に記載の誤警報事故防止機能を備えた異常警報監視システムによれば、請求項２に記載の、前記メンテナンス開始情報には作業予定時間を含むので、監視側は、メンテナンス開始情報の受信でメンテナンスの作業予定時間を知ることにより、比較的正確なメンテナンス時間を把握することができ、監視対象設備に異常が発生したことを知らせる警報信号を受信したとき、この警報信号が真の警報信号なのか或いはメンテナンス作業に起因する異常による誤警報信号なのかを、戸惑うことなく、容易に且つ確実に判断することができる。
【００１６】
請求項４に記載の誤警報事故防止機能を備えた異常警報監視システムによれば、請求項３に記載の、前記通信サーバーには、メンテナンス開始情報で入力された作業予定時間が経過した時点で、メンテナンス終了情報の入力が無いとき、メンテナンス終了情報を前記監視装置へ送信するように指示する制御手段を備えているので、メンテナンス作業終了後、メンテナンス作業員がメンテナンス終了情報の入力を怠ったとしても、メンテナンス開始情報で入力された作業予定時間が経過した時点で、メンテナンス終了情報が監視装置へ送信され、これにより監視側は、メンテナンス作業が終了したとして、通常の監視体制に戻ることになり、メンテナンス作業終了後の監視対象設備の真の異常の発生に対し適切に対処することができ、安全性を確保することができるものとなる。
【００１７】
請求項５に記載の誤警報事故防止機能を備えた異常警報監視システムによれば、請求項３又は４に記載の、前記メンテナンス警報装置は、メンテナンス作業者に携帯させる所定の識別項目を書き込んだ無線識別体と、前記監視対象設備近傍に設置され、作業エリア全体をカバーできる受信アンテナを有し、前記無線識別体の電波を受信する受信ユニットと、前記作業エリアで前記無線識別体を検出したとき、メンテナンス作業者に作業予定時間の入力を促し、作業予定時間の入力があったとき、メンテナンス開始情報の入力が完了したものとし、前記無線識別体が作業エリアから離れたとき、作業予定時間内であってもメンテナンス終了情報の入力があったものとし、その後、前記入力された作業予定時間内に前記作業エリアで前記無線識別体を再び検出したとき、メンテナンス作業者に新たな作業予定時間の入力を促すことなく、前記入力されている作業予定時間を内容とするメンテナンス開始情報の入力があったものとする制御手段を備えているので、メンテナンス作業員が監視対象設備の作業エリアに入ったとき、メンテナンス作業者が携帯する無線識別体を受信ユニットが検出し、メンテナンス作業者に作業予定時間の入力を促し、作業予定時間の入力があったとき、メンテナンス開始情報の入力が完了したものとすることから、メンテナンス作業者のメンテナンス開始情報の入力忘れを確実に防止できる。そして、メンテナンス作業者が作業エリアから離れたとき、作業予定時間内であってもメンテナンス終了情報の入力があったものとするので、このメンテナンス終了情報が送信された後、監視対象設備に異常が発生したことを知らせる警報信号を受信しても、この警報信号が真の警報信号として判断し、適切に対処することができ、高い安全性を確保することができるものとなる。また、前記入力されている作業予定時間内に前記作業エリアで無線識別体を再び検出したとき、メンテナンス作業者に新たな作業予定時間の入力を促すことなく、前記入力されている作業予定時間を内容とするメンテナンス開始情報の入力があったものとするので、メンテナンス作業者の作業負担が軽減されるとともに、高い安全性を確保することができるものとなる。
【発明を実施するための最良の形態】
【００１８】
以下、本発明に係る誤警報事故防止機能を備えた異常警報監視システムを実施するための最良の形態を説明する。  
先ず、本発明に係る誤警報事故防止機能を備えた異常警報監視システムの第１例を図１に示すブロック図で説明する。
【００１９】
本例の誤警報事故防止機能を備えた異常警報監視システムは、監視対象設備１の異常発生を検知し、監視対象設備１に異常が発生したとき警報信号を発信する異常警報装置２と、この異常警報装置２から発信された警報信号を受信し、監視装置３へ送信する通信サーバー４と、監視対象設備１をメンテナンスする際に入力するメンテナンス情報入力手段５と入力されたメンテナンス情報を発信するメンテナンス情報発信手段６とを有するメンテナンス警報装置７を備え、このメンテナンス警報装置７で発信されたメンテナンス情報を通信サーバー４を介して監視装置３へ送信するように構成されている。
【００２０】
更に詳細には、異常警報装置２にあっては、監視対象設備１に接続されたセンサー等の異常情報入力手段から異常情報を取得して監視対象設備１における異常の発生を検知し、そして、検知した異常情報を通信サーバー４を介し警報信号として監視装置３へ送信するようになっている。これにより、監視側では、監視装置３が受信した警報信号をモニタリングして、監視対象設備１に異常が発生したことを認識し、適切な対処をとることができる。
【００２１】
メンテナンス警報装置７が有するメンテナンス情報入力手段５で入力されるメンテナンス情報は、メンテナンス開始情報とメンテナンス終了情報であり、前記メンテナンス開始情報には、作業予定時間が含まれている。
【００２２】
また、通信サーバー４には、メンテナンス警報装置７にメンテナンス開始情報として入力された作業予定時間が経過した時点で、メンテナンス警報装置７へのメンテナンス終了情報の入力の有無に拘わらず、メンテナンス終了情報を監視装置３へ送信するプログラム８と制御手段９を備えている。
【００２３】
次に、上記のように構成された本例の誤警報事故防止機能を備えた異常警報監視システムの動作を説明する。  
先ず、通常の状態で、監視対象設備１に異常が発生すると異常警報装置２がこれを検知して、検知した異常情報を通信サーバー４を介し警報信号として監視装置３へ送信する。これにより、監視側では、監視装置３が受信した警報信号をモニタリングして、監視対象設備１に異常が発生したことを認識し、適切な対処をとることができる。
【００２４】
次に、監視対象設備１のメンテナンスが行われる場合、監視対象設備１のメンテナンス作業を開始する際に、メンテナンス情報入力手段５を用いて、メンテナンス情報としてメンテナンス開始と作業予定時間をメンテナンス警報装置７に入力する。メンテナンス情報をメンテナンス情報入力手段５でメンテナンス警報装置７に入力する操作は、本例ではメンテナンス現場でメンテナンス作業員が行うようになっている。
【００２５】
メンテナンス警報装置７にメンテナンス開始情報が入力されると、このメンテナンス開始情報は、メンテナンス警報装置７のメンテナンス情報発信手段６により発信され、通信サーバー４を介して監視装置３へ送信される。
【００２６】
監視側では、監視装置３が受信したメンテナンス情報により、メンテナンス作業に起因する監視対象設備１の異常による誤警報の可能性と、メンテナンス作業員が監視対象設備１の現場へ入り、メンテナンス作業が開始したことを確認するとともに、メンテナンスの作業予定時間を知ることにより、正確なメンテナンス時間を把握することができる。
【００２７】
そして、監視対象設備１に異常が発生したことを知らせる警報信号を受信したとき、この警報信号がメンテナンス作業に起因する異常による誤警報信号でることを、戸惑うことなく、容易に且つ確実に判断することができる。また、警報信号が重要な警報を内容とするものである場合には、現場にメンテナンス作業員がいるので直接確認をとることができ、保全担当者を介さなくても済むので、素早い対応ができる。
【００２８】
監視対象設備１のメンテナンス作業が終了したら、メンテナンス情報入力手段５を用いて、メンテナンス情報としてメンテナンス終了情報をメンテナンス警報装置７に入力する。この入力操作は、本例では、メンテナンス現場でメンテナンス作業員が行うようになっている。
【００２９】
メンテナンス警報装置７にメンテナンス終了情報が入力されると、このメンテナンス終了情報は、メンテナンス警報装置７のメンテナンス情報発信手段６により発信され、通信サーバー４を介して監視装置３へ送信される。
【００３０】
監視側では、監視装置３が受信したメンテナンス終了情報により、メンテナンス終了が終了したとして、通常の監視体制に戻り、以後に監視装置３が監視対象設備１の異常発生の警報信号を受信したとき、監視対象設備１に真の異常が発生したとして、適切に対処することができ、安全性を確保することができるものとなる。
【００３１】
また、監視対象設備１のメンテナンス作業終了後、メンテナンス作業員がメンテナンス終了情報の入力を怠ったとしても、入力された作業予定時間が経過した時点で、通信サーバー４に備えたプログラム８に従った制御手段９により、通信サーバー４からメンテナンス終了情報が監視装置３へ送信される。
【００３２】
これにより監視側は、メンテナンス終了が終了したとして、通常の監視体制に戻ることになり、メンテナンス作業終了後の監視対象設備１の真の異常の発生に対し適切に対処することができ、安全性を確保することができるものとなる。
【００３３】
次に、本発明に係る誤警報事故防止機能を備えた異常警報監視システムの第２例を図２に示すブロック図で説明する。  
本例と前記第１例とは、メンテナンス警報装置７以外は同一の構成となっているので、本例のメンテナンス警報装置７について説明し、他の構成は第１例を援用しその説明を省略する。
【００３４】
本例のメンテナンス警報装置７は、メンテナンス情報入力手段５として、メンテナンス作業者に携帯させる所定の識別項目を書き込んだ無線識別体１０と、監視対象設備１近傍に設置され、作業エリア全体をカバーできる受信アンテナを有し、無線識別体１０の電波を受信する受信ユニット１１と、前記作業エリアに無線識別体１０を検出したとき、メンテナンス作業者に作業予定時間の入力を促し、作業予定時間の入力があったとき、メンテナンス開始情報の入力が完了したものとし、無線識別体１０が作業エリアから離れたとき、作業予定時間内であってもメンテナンス終了情報の入力があったものとし、前記入力されている作業予定時間内に前記作業エリアで無線識別体１０を再び検出したとき、メンテナンス作業者に新たな作業予定時間の入力を促すことなく、前記入力されている作業予定時間を内容とするメンテナンス開始情報の入力があったものとするプログラム１２と制御手段１３を備えている。
【００３５】
上記のように構成された本例の誤警報事故防止機能を備えた異常警報監視システムの動作を説明すると、メンテナンス作業員が監視対象設備１の作業エリアに入ったとき、メンテナンス作業者が携帯する無線識別体１０を受信ユニット１１が検出し、メンテナンス作業者に作業予定時間の入力を促す。
【００３６】
メンテナンス作業者による作業予定時間の入力があると、メンテナンス開始情報の入力が完了したものとし、メンテナンス警報装置７のメンテナンス情報発信手段６により発信され、通信サーバー４を介して監視装置３へ送信される。これにより、メンテナンス作業者のメンテナンス開始情報の入力忘れを確実に防止できる。
【００３７】
そして、メンテナンス作業者が作業エリアから離れると、前記入力された作業予定時間内であってもメンテナンス終了情報の入力があったものとし、メンテナンス警報装置７のメンテナンス情報発信手段６により発信され、通信サーバー４を介して監視装置３へ送信される。  これにより、監視側では、監視装置３が受信したメンテナンス終了情報により、メンテナンス作業が終了したとして、通常の監視体制に戻ることになり、以後に監視装置３が監視対象設備１の異常発生の警報信号を受信したとき、監視対象設備１に真の異常が発生したとして、適切に対処することができ、安全性を確保することができるものとなる。
【００３８】
その後、前記入力されている作業予定時間内に前記作業エリアで無線識別体１０を再び検出したとき、メンテナンス作業者に新たな作業予定時間の入力を促すことなく、前記入力されている作業予定時間を内容とするメンテナンス開始情報の入力があったものとするので、メンテナンス作業者の作業負担が軽減される。また、このメンテナンス開始情報は、メンテナンス警報装置７のメンテナンス情報発信手段６により発信され、通信サーバー４を介して監視装置３へ送信されるので、これにより、監視側では、メンテナンス作業に起因する監視対象設備１の異常による誤警報の可能性と、メンテナンス作業員が監視対象設備１の現場へ入り、メンテナンス作業が開始したことを再度確認するので、高い安全性を確保することができるものとなる。  
他の動作は前記第１例の動作と同じであるので、第１例を援用しその説明を省略する。
【図面の簡単な説明】
【００３９】
【図１】本発明に係る誤警報事故防止機能を備えた異常警報監視システムの実施の形態の第１例を示すブロック図である。
【図２】本発明に係る誤警報事故防止機能を備えた異常警報監視システムの実施の形態の第２例を示すブロック図である。
【符号の説明】
【００４０】
１  監視対象設備
２  異常警報装置
３  監視装置
４  通信サーバー
５  メンテナンス情報入力手段
６  メンテナンス情報発信手段
７  メンテナンス警報装置
８  プログラム
９  制御手段
１０  無線識別体
１１  受信ユニット
１２  プログラム
１３  制御手段
【図１】
2007265128.tif 000003
【図２】
2007265128.tif 000004